(57)【特許請求の範囲】
【請求項１】
照合基準の媒体を副走査方向に搬送しながら前記照合基準の媒体の表面の像を読み取る画像読取手段により読み取られた、前記照合基準の媒体の表面に形成された繊維の紋様を示す照合基準の媒体画像を取得する照合基準媒体画像取得手段と、
照合対象の媒体を前記副走査方向に搬送しながら前記照合対象の媒体の表面の像を読み取る画像読取手段により読み取られた、前記照合対象の媒体の表面に形成された繊維の紋様を示す照合対象の媒体画像を取得する照合対象媒体画像取得手段と、
前記照合基準の媒体画像に含まれる筋状の雑音成分に係る前記副走査方向に伸びる画素列である雑音画素列の、前記副走査方向と直交する主走査方向に沿った位置を特定する特定手段と、
前記照合基準の媒体画像に含まれる照合基準領域の画像のうちで前記雑音画素列の位置に対応する前記主走査方向に沿った位置を特定し、特定した位置に位置する画素全部からなる前記副走査方向の第１−１画素列を前記照合基準領域の画像から除外した画像を生成する第１の生成手段と、
前記照合対象の媒体画像に含まれる照合対象領域の画像のうちで前記第１−１画素列の位置に対応する前記主走査方向に沿った位置を特定し、特定した位置に位置する画素全部からなる前記副走査方向の第１−２画素列を、前記照合対象領域の画像から除外した画像、を生成する第２の生成手段と、
前記第１の生成手段により生成された画像と、前記第２の生成手段により生成された画像と、を比較して、前記照合基準の媒体と、前記照合対象の媒体と、が同一であるか否かを判定する判定手段と、
を含み、
前記雑音画素列は、各画素の画素値の総和が予め定められた値以上である画素列、又は、画素値が基準値以上である画素を予め定められた数以上含む画素列である、
画像処理システム。
【請求項２】
前記特定手段は、
前記照合対象の媒体画像に含まれる筋状の雑音成分に係る前記副走査方向に伸びる画素列である第２雑音画素列の、前記主走査方向に沿った位置も特定し、
前記第２の生成手段は、
前記照合対象領域の画像のうちで前記第２雑音画素列の位置に対応する前記主走査方向に沿った位置を特定し、特定した位置に位置する画素全部からなる前記副走査方向の第２−２画素列と、前記第１−２画素列と、を前記照合対象領域の画像から除外した画像、を生成し、
前記第１の生成手段は、
前記照合基準領域の画像のうちで前記第２−２画素列の位置に対応する前記主走査方向に沿った位置を特定し、特定した位置に位置する画素全部からなる前記副走査方向の第２−１画素列と、前記第１−１画素列と、を前記照合基準領域の画像から除外した画像、を生成し、
前記第２雑音画素列は、各画素の画素値の総和が予め定められた値以上である画素列、又は、画素値が基準値以上である画素を予め定められた数以上含む画素列である、
請求項１に記載の画像処理システム。
【請求項３】
照合基準の媒体を副走査方向に搬送しながら前記照合基準の媒体の表面の像を読み取る画像読取手段が読み取った照合基準の媒体画像に含まれる筋状の雑音成分、に係る副走査方向に伸びる画素列である雑音画素列の、前記副走査方向と直交する主走査方向に沿った位置を特定する特定手段と、
前記照合基準の媒体画像に含まれる照合基準領域の画像のうちで前記雑音画素列の位置に対応する前記主走査方向に沿った位置を特定し、特定した位置に位置する画素全部からなる前記副走査方向の第１−１画素列を、前記照合基準領域の画像から除外した画像、を生成する第１の生成手段と、
照合対象の媒体を前記副走査方向に搬送しながら前記照合対象の媒体の表面の像を読み取る画像読取手段が読み取った照合対象の媒体画像に含まれる照合対象領域の画像のうちで前記第１−１画素列の位置に対応する前記主走査方向に沿った位置を特定し、特定した位置に位置する画素全部からなる前記副走査方向の第１−２画素列を、前記照合対象領域の画像から除外した画像、を生成する第２の生成手段と、
前記第１の生成手段により生成された画像と、前記第２の生成手段により生成された画像と、を比較して、前記照合基準の媒体と、前記照合対象の媒体と、が同一であるか否かを判定する判定手段と、
を含み、
前記雑音画素列は、各画素の画素値の総和が予め定められた値以上である画素列、又は、画素値が基準値以上である画素を予め定められた数以上含む画素列である、
画像処理装置。
【請求項４】
照合基準の媒体を副走査方向に搬送しながら前記照合基準の媒体の表面の像を読み取る画像読取手段が読み取った照合基準の媒体画像に含まれる筋状の雑音成分、に係る前記副走査方向に伸びる画素列である雑音画素列の、前記副走査方向と直交する主走査方向に沿った位置を特定する特定手段、
前記照合基準の媒体画像に含まれる照合基準領域の画像のうちで前記雑音画素列の位置に対応する前記主走査方向に沿った位置を特定し、特定した位置に位置する画素全部からなる前記副走査方向の第１−１画素列を、前記照合基準領域の画像から除外した画像、を生成する第１の生成手段、
照合対象の媒体を前記副走査方向に搬送しながら前記照合対象の媒体の表面の像を読み取る画像読取手段が読み取った照合対象の媒体画像に含まれる照合対象領域の画像のうちで前記第１−１画素列の位置に対応する前記主走査方向に沿った位置を特定し、特定した位置に位置する画素全部からなる前記副走査方向の第１−２画素列を、前記照合対象領域の画像から除外した画像、を生成する第２の生成手段、
前記第１の生成手段により生成された画像と、前記第２の生成手段により生成された画像と、を比較して、前記照合基準の媒体と、前記照合対象の媒体と、が同一であるか否かを判定する判定手段、としてコンピュータを機能させ、
前記雑音画素列は、各画素の画素値の総和が予め定められた値以上である画素列、又は、画素値が基準値以上である画素を予め定められた数以上含む画素列である、
プログラム。
【発明の詳細な説明】
【技術分野】
【０００１】
本発明は、画像処理システム、画像処理装置及びプログラムに関する。
【背景技術】
【０００２】
下記、特許文献１には、媒体（例えば、紙媒体）の表面の像を示す画像を予め登録された画像と比較することによって、当該媒体の真贋を判定する装置が開示されている。
【先行技術文献】
【特許文献】
【０００３】
【特許文献１】特許第４１０３８２６号公報
【発明の概要】
【発明が解決しようとする課題】
【０００４】
本発明の目的は、照合基準の媒体の表面に形成された繊維の紋様を示す照合基準の媒体画像と、照合対象の媒体の表面に形成された繊維の紋様を示す照合対象の媒体画像と、を比較することによって照合基準の媒体と照合対象の媒体と、の同一性を判定する場合において、照合基準の媒体画像に含まれる筋状の雑音成分の影響を抑制できるようにすることである。
【課題を解決するための手段】
【０００５】
上記課題を解決するための請求項１の発明は、照合基準の媒体の表面に形成された繊維の紋様を示す照合基準の媒体画像を取得する照合基準媒体画像取得手段と、照合対象の媒体の表面に形成された繊維の紋様を示す照合対象の媒体画像を取得する照合対象媒体画像取得手段と、前記照合基準の媒体画像に含まれる筋状の雑音成分に係る画素列である雑音画素列を特定する特定手段と、前記雑音画素列に応じた位置の画素列である第１−１画素列を、前記照合基準の媒体画像に含まれる照合基準領域の画像から除外した画像、を生成する第１の生成手段と、前記照合基準領域の画像に含まれる前記第１−１画像列に対応する画素列である第１−２画素列を、前記照合対象の媒体画像に含まれる照合対象領域の画像から除外した画像、を生成する第２の生成手段と、前記第１の生成手段により生成された画像と、前記第２の生成手段により生成された画像と、を比較して、前記照合基準の媒体と、前記照合対象の媒体と、が同一であるか否かを判定する判定手段と、を含むことを特徴とする画像処理システムである。
【０００６】
請求項２の発明は、請求項１の発明において、前記特定手段は、前記雑音画素列である第１雑音画素列と、前記照合対象の媒体画像に含まれる筋状の雑音成分に係る画素列である第２雑音画素列と、を特定し、前記第２の生成手段は、前記第１−２画素列と、前記第２雑音画素列に応じた位置の画素列である第２−２画素列と、を前記照合対象領域の画像から除外した画像、を生成し、前記第１の生成手段は、前記第１−１画素列と、前記照合対象領域の画像に含まれる前記第２−２画素列に対応する画素列である第２−１画素列と、を前記照合基準領域の画像から除外した画像、を生成することを特徴とする。
【０００７】
また、請求項３の発明は、請求項１又は請求項２の発明において、前記画像処理システムは、前記照合基準の媒体を副走査方向に搬送しながら前記照合基準の媒体の表面の像を読み取る第１の画像読取手段と、前記照合対象の媒体を副走査方向に搬送しながら前記照合対象の媒体の表面の像を読み取る第２の画像読取手段と、をさらに含み、前記照合基準媒体画像取得手段は、前記第１の画像読取手段が前記照合基準の媒体から読み取った前記照合基準の媒体画像を取得し、前記照合対象媒体画像取得手段は、前記第２の画像読取手段が、前記照合対象の媒体から読み取った前記照合対象の媒体画像を取得し、前記特定手段は、前記照合基準の媒体画像に含まれる筋状の雑音成分に係る、前記副走査方向に伸びる画素列である前記雑音画素列を特定し、前記第１の生成手段は、前記雑音画素列に応じた位置の、前記副走査方向に伸びる画素列である前記第１−１画素列を、前記照合基準領域の画像から除外した画像、を生成し、前記第２の生成手段は、前記照合基準領域の画像に含まれる前記第１−１画素列に対応する、前記副走査方向に伸びる画素列である前記第１−２画素列を、前記照合対象領域の画像から除外した画像、を生成することを特徴とする。
【０００８】
また、上記課題を解決するための請求項４の発明は、照合基準の媒体の表面に形成された繊維の紋様を示す照合基準の媒体画像に含まれる筋状の雑音成分、に係る画素列である雑音画素列を特定する特定手段と、前記雑音画素列に応じた位置の画素列である第１−１画素列を、前記照合基準の媒体画像に含まれる照合基準領域の画像から除外した画像、を生成する第１の生成手段と、前記照合基準領域の画像に含まれる前記第１−１画素列に対応する画素列である第１−２画素列を、照合対象の媒体の表面に形成された繊維の紋様を示す照合対象の媒体画像に含まれる照合対象領域の画像から除外した画像、を生成する第２の生成手段と、前記第１の生成手段により生成された画像と、前記第２の生成手段により生成された画像と、を比較して、前記照合基準の媒体と、前記照合対象の媒体と、が同一であるか否かを判定する判定手段と、を含むことを特徴とする画像処理装置である。
【０００９】
また、上記課題を解決するための請求項５の発明は、照合基準の媒体の表面の像を示す照合基準の媒体画像に含まれる筋状の雑音成分、に係る画素列である雑音画素列を特定する特定手段、前記雑音画素列に応じた位置の画素列である第１−１画素列を、前記照合基準の媒体画像に含まれる照合基準領域の画像から除外した画像、を生成する第１の生成手段、前記照合基準領域の画像に含まれる前記第１−１画素列に対応する画素列である第１−２画素列を、照合対象の媒体の表面に形成された繊維の紋様を示す照合対象の媒体画像に含まれる照合対象領域の画像から除外した画像、を生成する第２の生成手段、前記第１の生成手段により生成された画像と、前記第２の生成手段により生成された画像と、を比較して、前記照合基準の媒体と、前記照合対象の媒体と、が同一であるか否かを判定する判定手段、としてコンピュータを機能させるプログラムである。
【発明の効果】
【００１０】
請求項１、請求項４、及び請求項５の発明によれば、照合基準の媒体の表面に形成された繊維の紋様を示す照合基準の媒体画像と、照合対象の媒体の表面に形成された繊維の紋様を示す照合対象の媒体画像と、を比較することによって照合基準の媒体と照合対象の媒体と、の同一性を判定する場合において、照合基準の媒体画像に含まれる筋状の雑音成分の影響を抑制できる。
【００１１】
請求項２の発明によれば、照合対象の媒体画像に含まれる筋状の雑音成分の影響も抑制できるようになる。
【００１２】
請求項３の発明によれば、副走査方向に伸びる筋状の雑音成分の影響を抑制できる。
【図面の簡単な説明】
【００１３】
【図１】本発明の一実施形態に係る画像処理システムの構成の例を示す図である。
【図２】画像処理装置のハードウェア構成の例を示す図である。
【図３】原稿を例示する図である。
【図４】画像処理システムにて実現される機能群を例示する機能ブロック図である。
【図５】照合基準の原稿画像を例示する図である。
【図６】ハードディスクに記憶される照合基準領域の座標範囲の例を示す図である。
【図７】第１雑音画素列を特定する方法について説明するための図である。
【図８】登録部によってハードディスクに記憶される情報の例を示す図である。
【図９】画像処理システムにて実現される機能群を例示する機能ブロック図である。
【図１０】照合対象の原稿画像を例示する図である。
【図１１】ハードディスクに記憶される照合対象領域の座標範囲の例を示す図である。
【図１２】照合対象画像の取得方法について説明するための図である。
【図１３Ａ】第１マスク画像の生成方法について説明するための図である。
【図１３Ｂ】第２マスク画像の生成方法について説明するための図である。
【図１４】画像処理システムにて実現される機能群を例示する機能ブロック図である。
【発明を実施するための形態】
【００１４】
以下、本発明の実施形態の例について図面に基づき詳細に説明する。
【００１５】
［画像処理システム］
図１は、本発明の一実施形態に係る画像処理システム1の構成の例を示す図である。同図に示すように、画像処理システム１は、複数の画像処理装置２と、データベース４と、を含む。画像処理装置２は、例えばスキャナ機能を備えたプリンタであり、データベース４は、例えばデータベースサーバである。各画像処理装置２は、データベース４とネットワークを介して通信可能に接続されている。
【００１６】
［画像処理装置］
図２は、画像処理装置２のハードウェア構成の例を示す図である。同図に示すように、画像処理装置２は、制御部６と、主記憶８と、ハードディスク１０と、表示部１２と、操作入力部１４と、ネットワークインタフェース１６（以下、ネットワークＩＦ１６と記載する）と、スキャナ１８と、を含む。また、ここでは図示していないが、画像処理装置２は、紙媒体に画像を形成する画像形成部なども含む。
【００１７】
制御部６は、例えばマイクロプロセッサであり、主記憶８に記憶されるプログラムに従って情報処理を実行する。
【００１８】
主記憶８は、例えばＲＡＭである。主記憶８には上記プログラムが格納される。このプログラムは、フレキシブルディスク、ＣＤ−ＲＯＭ、ＤＶＤ（登録商標）−ＲＯＭ、磁気テープ、ハードディスク、ＭＯ、ＭＤ、ＩＣカード等のコンピュータ読取可能な情報記憶媒体から読み出されて主記憶８に格納されてもよいし、インターネットなどの通信ネットワーク等の通信網から供給されて主記憶８に格納されてもよい。
【００１９】
また、主記憶８には情報処理の過程で必要となる各種データも格納される。
【００２０】
ハードディスク１０は、補助記憶装置として用いられる記憶媒体であり、各種情報が格納される。ハードディスク１０の記憶内容については後述する。
【００２１】
表示部１２は、例えば画像処理装置２の側面に設けられた液晶ディスプレイであり、制御部６から出力される情報を表示する。
【００２２】
操作入力部１４は、ユーザが操作入力を行うためのインタフェースであり、ユーザの操作内容を示す信号を制御部６に出力する。
【００２３】
ネットワークＩＦ１６は、画像処理装置２をネットワークと接続するためのインタフェースであり、例えば、ネットワークインタフェースカードである。ネットワークＩＦ１６は、ネットワークから受信した情報を制御部６に出力したり、制御部６から出力される情報をネットワークに送信したりする。
【００２４】
スキャナ１８は、例えばＣＶＴ(Constant Velocity Transport)方式のスキャナであり、原稿の表面の像を読み取り、原稿の表面の像を示す原稿画像を制御部６に出力する。すなわち、スキャナ１８では、自動原稿送り装置によって原稿がコンタクトガラスへと搬送される。コンタクトガラスには光源から光が照射されるようになっており、照射された光の反射光が主走査方向に配列されたＣＣＤセンサ群によって受光される。そして、各ＣＣＤセンサから出力される画像信号がＡ/Ｄ変換されて制御部６に入力される。なお、以下、原稿の搬送方向を「副走査方向」と呼ぶ。
【００２５】
［原稿］
ここで、画像処理システム１で用いられる原稿について説明する。図３は、原稿を例示する図である。本実施形態の場合、原稿は紙媒体であり、一点鎖線内の領域である記載領域３０と、一点鎖線外の領域である余白領域３４と、に区画される。なお、一点鎖線は、記載領域３０と、余白領域３４と、の仮想的な境界を示しており、原稿に印刷されている訳ではない。記載領域３０は、文章や画像などが記載される領域である。具体的には、記載領域３０の左上に、原稿の識別情報である原稿ＩＤを示すコード画像３２が予め印刷される。一方、余白領域３４には、何も記載されていない領域である。
【００２６】
［画像処理システムの利用形態］
画像処理システム１では、ユーザは、原稿の表面に形成された当該原稿に固有の紙指紋の登録を行う。ここで、紙指紋とは、原稿を構成する繊維により、当該原稿の表面に形成された紋様である。具体的には、ユーザは、紙指紋の登録対象となる登録対象原稿をいずれかの画像処理装置２に設置し、紙指紋の登録を指示する登録指示操作を行うことにより登録対象原稿をスキャンさせる。その結果、登録対象原稿の表面の像を示す画像、すなわち登録対象原稿の紙指紋を示す画像が取得され、データベース４に格納（登録）される。
【００２７】
また、ユーザは、原稿の真贋の確認を行う。具体的には、ユーザは、原稿の真贋を確認するために、真贋判定の対象となる判定対象原稿をいずれかの画像処理装置２に設置し、真贋判定を指示する真贋判定指示操作を行って判定対象原稿をスキャンさせる。その結果、判定対象原稿の表面の像を示す画像、すなわち判定対象原稿の紙指紋を示す画像が取得され、取得された画像と、データベース４に登録された画像と、の照合が行われる。また、照合結果から判定対象原稿の真贋が判定される。
【００２８】
以下、「判定対象原稿」の立場から、「登録対象原稿」を照合の基準となる原稿である「照合基準の原稿」と定義し、「判定対象原稿」を照合基準の原稿との照合の対象となる「照合対象の原稿」と定義して、説明を続ける。なお、「登録対象原稿」の立場から、「判定対象原稿」を「照合基準の原稿」と定義し、「登録対象原稿」を「照合対象の原稿」と定義してもよい。
【００２９】
［機能ブロックその一］
図４は、画像処理システム１にて実現される機能群を例示する機能ブロック図である。同図に示す機能群は、登録指示操作を受け付けた画像処理装置２（以下、「第１の画像処理装置」と記載する）の制御部６が、上記プログラムに従って動作することによって、実現される。
【００３０】
［照合基準原稿画像取得部］
照合基準原稿画像取得部２０は、照合基準の原稿の表面に形成された繊維の紋様を示す照合基準の原稿画像を取得する。本実施形態の場合、照合基準原稿画像取得部２０は、第１の画像処理装置のスキャナ１８が読み取った照合基準の原稿の表面の像、を示す画像を、照合基準の原稿画像として取得する。
【００３１】
図５は、照合基準の原稿画像を例示する図である。照合基準の原稿画像は、副走査方向に並べられた複数の画素からなる画素列を複数含み、各画素列は、主走査方向に配列されている。照合基準の原稿画像には、副走査方向に平行なＹ座標軸と主走査方向に平行なＸ座標軸とが設定されており、各画素列の位置は、その画素列のＸ座標値により表される。
【００３２】
照合基準の原稿画像には、照合基準の原稿に固有の紙指紋が含まれる。また、照合基準の原稿画像には、場合によって、コンタクトガラスに付着したゴミやＣＣＤセンサ自身に起因する筋状のノイズ成分が含まれる。このノイズ成分は、一般に「黒スジ」と呼ばれ、副走査方向に伸びている。符号３８Ａ、符号３８Ｂ、の各々に指し示されている縦線が黒スジを示している。同図に示すように、黒スジ３８ＡのＸ座標値はＸＡであり、黒スジ３８ＢのＸ座標値はＸＢとなっている。
【００３３】
なお、符号３６Ａ、符号３６Ｂのそれぞれによって指し示されている領域は、それぞれ、照合基準領域Ａ、照合基準領域Ｂを示している。照合基準領域Ａ及び照合基準領域Ｂは、照合基準の原稿画像に含まれる領域である。また、照合基準領域Ａ及び照合基準領域Ｂは同一形状及び同一サイズとなるよう予め定められた領域であり、照合基準領域Ａの範囲を示す座標（以下、座標範囲と呼ぶ）及び照合基準領域Ｂの座標範囲がハードディスク１０に予め記憶されている。ハードディスク１０に記憶される、照合基準領域Ａの座標範囲及び照合基準領域Ｂの座標範囲、の例を図６に示した。
【００３４】
なお、以下、照合基準領域Ａと照合基準領域Ｂとを総称して、「照合基準領域」と記載する場合がある。
【００３５】
［原稿ＩＤ取得部］
原稿ＩＤ取得部２２は、照合基準の原稿画像に含まれるコード画像３２を解析することによって、コード画像３２が示す原稿ＩＤ、すなわち、照合基準の原稿の原稿ＩＤを取得する。
【００３６】
［照合基準画像取得部］
照合基準画像取得部２４は、照合基準の原稿画像から照合基準領域を切り出すことによって、照合基準領域の画像を生成する。
【００３７】
すなわち、照合基準画像取得部２４は、照合基準領域Ａ及び照合基準領域Ｂを切り出すことによって、照合基準領域Ａ（図５参照）の画像である照合基準画像Ａと照合基準領域Ｂ（図５参照）の画像である照合基準画像Ｂとを生成する。本実施形態の場合、照合基準画像取得部２４は、照合基準画像Ａと照合基準画像Ｂとを順次生成する。なお、以下、照合基準画像Ａと照合基準画像Ｂとを総称して、「照合基準画像」と記載する場合がある。
【００３８】
［雑音画素列特定部］
雑音画素列特定部２６Ａは、照合基準の原稿画像に含まれる上記黒スジに係る第１雑音画素列を特定する。
【００３９】
本実施形態の場合、雑音画素列特定部２６Ａは、照合基準画像が取得されるごとに、取得された照合基準画像Ｘについて第１雑音画素列を特定する。
【００４０】
図７は、第１雑音画素列を特定する方法について説明するための図である。図７の上部に記載されている画像は、照合基準画像Ｘを示している。ここでは、照合基準画像Ｘが照合基準画像Ａである場合を例に取り上げている。まず、雑音画素列特定部２６Ａは、照合基準画像Ｘを構成する画素列ごとに、当該画素列の各画素の画素値（例えば、濃度値）に応じた評価値Ｓを算出する。ここで、評価値Ｓは、例えば、画素列に含まれる各画素の画素値の総和である。また、例えば評価値Ｓは、画素値が基準値以上である画素の個数である。そして、雑音画素列特定部２６Ａは、評価値Ｓが基準値Ｓｔｈ以上である画素列、すなわち、第１雑音画素列を特定する。より詳しくは、雑音画素列特定部２６Ａは、第１雑音画素列のＸ座標値（位置）を特定する。例えば照合基準画像Ｘが照合基準画像Ａである場合、黒スジ３８ＡのＸ座標値「ＸＡ」が第１雑音画像列のＸ座標値として特定されることになる。
【００４１】
なお、雑音画素列特定部２６Ａは、照合基準画像Ｘを構成する画素列ごとに、余白領域３４に含まれる画素の画素値の総和、又は、余白領域３４に含まれる画素のうちの上記画素値が基準値以上である画素の個数、を評価値Ｓとして算出し、評価値Ｓが基準値Ｓｔｈ以上である画素列を第１雑音画素列として特定するようにしてもよい。
【００４２】
また、スキャナ１８が黒スジを検出する黒スジ検出機能を有する場合、スキャナ１８から出力される情報から第１雑音画素列を特定するようにしてよい。この場合、スキャナ１８によって黒スジに係る画素列として検出された画素列のうち照合基準領域Ｘに含まれる画素列を第１雑音画素列として特定するようにしてもよい。なお、黒スジ検出機能を有するスキャナとしては、例えば、Ｒ（赤）、Ｇ（緑）、及びＢ（青）の色に関する信号（色信号）を出力する第１のＣＣＤセンサ群と、濃淡に関する信号（濃淡信号）を出力する第２のＣＣＤセンサ群と、を含むスキャナであって、色信号に基づいて生成された、濃淡を表す画像（濃淡画像）と、濃淡信号から生成される濃淡画像と、を比較することによって黒スジに係る画素列を検出するスキャナが挙げられる。
【００４３】
［登録部］
登録部２８は、原稿ＩＤ取得部２２によって取得された原稿ＩＤと、照合基準画像取得部２４によって取得された照合基準画像と、雑音画素列特定部２６Ａによって特定された第１雑音画素列のＸ座標値と、を関連付けてデータベース４（記憶手段）に記憶させる。図８に、登録部２８によってハードディスク１０に記憶される情報の例を示した。なお、「ＸＡ（Ｗ）」は、「ＸＡ−Ｗ」に位置する画素列から「ＸＡ＋Ｗ」に位置する画素列までが第１雑音画素列であることを示している。
【００４４】
［機能ブロックその二］
図９は、画像処理システム１にて実現される他の機能群を例示する機能ブロック図である。同図に示す機能群は、真贋判定指示操作を受け付けた画像処理装置２（以下、「第２の画像処理装置」と記載する）の制御部６が、上記プログラムに従って動作することによって、実現される。なお、第１の画像処理装置と第２の画像処理装置とは同一であってよい。
【００４５】
［照合対象原稿画像取得部］
照合対象原稿画像取得部４０は、照合対象の原稿の表面に形成された繊維の紋様を示す照合対象の原稿画像を取得する。本実施形態の場合、照合対象原稿画像取得部４０は、第２の画像処理装置のスキャナ１８が読み取った照合対象の原稿の表面の像、を示す画像を、照合対象の原稿画像として取得する。
【００４６】
図１０は、照合対象の原稿画像を例示する図である。照合対象の原稿画像も、照合基準の原稿画像と同様に、副走査方向に並べられた複数の画素からなる画素列を複数含んでおり、各画素列は主走査方向に配列されている。また、照合対象の原稿画像にも、副走査方向に平行なＹ座標軸と主走査方向に平行なＸ座標軸とが設定されており、各画素列の位置が、その画素列のＸ座標値により表されるようになっている。照合対象の原稿画像には、照合対象の原稿に固有の紙指紋が含まれる。
【００４７】
また、照合対象の原稿画像にも、照合基準の原稿画像と同様に、場合によって、コンタクトガラスに付着したゴミやＣＣＤセンサ自身に起因する上記黒スジが含まれる。符号３８Ｃ、符号３８Ｄ、の各々に指し示されている縦線が黒スジを示している。同図に示すように、黒スジ３８ＣのＸ座標値はＸＣであり、黒スジ３８ＤのＸ座標値はＸＤとなっている。
【００４８】
なお、符号６０Ａ、符号６０Ｂのそれぞれによって指し示されている領域は、それぞれ、照合基準領域Ａに対応する対応領域Ａ、照合基準領域Ｂに対応する対応領域Ｂを示している。対応領域Ａは、照合基準領域Ａを含んでおり、対応領域Ｂは、照合基準領域Ｂを含んでいる。対応領域Ａ及び対応領域Ｂは同一形状、同一サイズの領域であり、対応領域Ａの座標範囲及び対応領域Ｂの座標範囲がハードディスク１０に予め記憶されている。ハードディスク１０に記憶される、対応領域Ａの座標範囲及び対応領域Ｂの座標範囲、の例を図１１に示した。
【００４９】
なお、以下、対応領域Ａと対応領域Ｂとを総称して、「対応領域」と記載する場合がある。
【００５０】
［原稿ＩＤ取得部］
原稿ＩＤ取得部２２は、照合対象の原稿画像に含まれるコード画像３２を解析することによって、コード画像３２が示す原稿ＩＤ、すなわち、照合対象の原稿の原稿ＩＤを取得する。
【００５１】
［対応画像取得部］
対応画像取得部４２は、照合対象の原稿画像から対応領域を切り出すことによって、対応領域の画像を生成する。
【００５２】
すなわち、対応画像取得部４２は、対応領域Ａ及び対応領域Ｂのそれぞれを切り出すことによって、対応領域Ａ（図１０参照）の画像である対応画像Ａと対応領域Ｂ（図１０参照）の画像である対応画像Ｂとを生成する。本実施形態の場合、対応画像取得部４２は、最初に対応画像Ａを生成した後、判定部５４からの指示に応じて、対応画像Ｂを生成する。
【００５３】
［雑音画素列特定部］
雑音画素列特定部２６Ｂは、照合対象の原稿画像に含まれる上記黒スジに係る第２雑音画素列を特定する。
【００５４】
すなわち、雑音画素列特定部２６Ｂは、対応画像が取得されるごとに、取得された対応画像Ｘについて第２雑音画像列を特定する。本実施形態の場合、雑音画素列特定部２６Ｂは、対応画像Ｘを構成する画素列ごとに、当該画素列の各画素の画素値に応じた上記評価値Ｓを算出し、評価値Ｓが基準値Ｓｔｈ以上である画素列、すなわち、第２雑音画素列を特定する。より詳しくは、雑音画素列特定部２６Ｂは、第２雑音画素列のＸ座標値（位置）を特定する。例えば、対応画像Ｘが対応画像Ａである場合、黒スジ３８ＣのＸ座標値「ＸＣ」（図１０参照）が第２雑音画素列のＸ座標値として特定されることになる。
【００５５】
なお、雑音画素列特定部２６Ｂは、対応領域Ｘを構成する画素列ごとに、余白領域３４に含まれる画素の画素値の総和、又は、余白領域３４に含まれる画素のうちの上記画素値が基準値以上である画素の個数、を評価値Ｓとして算出し、評価値Ｓが基準値Ｓｔｈ以上である画素列を第２雑音画素列として特定するようにしてもよい。また、スキャナ１８が黒スジ検出機能を有する場合、スキャナ１８から出力される情報から第２雑音画素列を特定するようにしてよい。
【００５６】
［照合基準画像読み出し部］
照合基準画像読み出し部４６は、データベース４から、原稿ＩＤ取得部２２によって取得された原稿ＩＤに関連づけられた照合基準画像を読み出す。
【００５７】
すなわち、照合基準画像読み出し部４６は、原稿ＩＤ取得部２２によって取得された原稿ＩＤに関連付けられた、照合基準画像Ａ及び照合基準画像Ｂを読み出す。本実施形態の場合、照合基準画像読み出し部４６は、対応画像Ａが取得された場合に照合基準画像Ａを読み出し、対応画像Ｂが取得された場合に照合基準画像Ｂを読み出す。
【００５８】
［照合対象画像取得部］
照合対象画像取得部４４は、照合対象の原稿画像に含まれる照合対象領域の画像（以下、照合対象画像）を生成する。
【００５９】
本実施形態の場合、照合対象画像取得部４４は、対応画像が取得されるごとに、当該対応画像Ｘから複数の照合対象画像を切り出して生成する。
【００６０】
図１２は、照合対象画像の取得方法について説明するための図である。図１２において符号６２Ａで指し示される画像は、対応領域Ｘの画像（すなわち、対応画像Ｘ）を示している。ここでは、対応領域Ｘが対応領域Ａ（図１０参照）であり、対応画像Ｘが対応画像Ａである場合を例に取り上げている。また、点線で示される領域６４Ａ（図１２の（Ａ）参照）、６４Ｂ（図１２の（Ｂ）参照）、６４Ｃ（図１２の（Ｃ）参照）、６４Ｄ（図１２の（Ｄ）参照）、６４Ｅ（図１２の（Ｅ）参照）、６４Ｆ（図１２の（Ｆ）参照）、６４Ｇ（図１２の（Ｇ）参照）、６４Ｈ（図１２の（Ｈ）参照）、６４Ｉ（図１２の（Ｉ）参照）は、それぞれ、照合対象領域を示している。ここで、各照合対象領域は、対応領域Ｘに含まれる領域であり、照合対象の原稿画像に含まれる領域でもある。各照合対象領域の座標範囲はハードディスク１０に予め記憶されている。また、各照合対象領域は、照合基準領域と同一サイズ及び同一形状を有している。
【００６１】
照合対象画像取得部４４は、対応画像が取得されるごとに、取得された対象画像Ｘから、照合対象領域６４Ａの画像である照合対象画像６６Ａ（図１２の（Ａ）参照）、照合対象領域６４Ｂの画像である照合対象画像６６Ｂ（図１２の（Ｂ）参照）、照合対象領域６４Ｃの画像である照合対象画像６６Ｃ（図１２の（Ｃ）参照）、照合対象領域６４Ｄの画像である照合対象画像６６Ｄ（図１２の（Ｄ）参照）、照合対象領域６４Ｅの画像である照合対象画像６６Ｅ（図１２の（Ｅ）参照）、照合対象領域６４Ｆの画像である照合対象画像６６Ｆ（図１２の（Ｆ）参照）、照合対象領域６４Ｇの画像である照合対象画像６６Ｇ（図１２の（Ｇ）参照）、照合対象領域６４Ｈの画像である照合対象画像６６Ｈ（図１２の（Ｈ）参照）、及び照合対象領域６４Ｉの画像である照合対象画像６６Ｉ（図１２の（Ｉ）参照）、の各々を切り出す。より詳しくは、照合対象画像取得部４４は、最初に照合対象画像６６Ａを取得した後、比較部５２からの指示に応じて、照合対象画像６６Ｂ以降を取得する。
【００６２】
なお、以下、照合対象画像６６Ａ、照合対象画像６６Ｂ、照合対象画像６６Ｃ、照合対象画像６６Ｄ、照合対象画像６６Ｅ、照合対象画像６６Ｆ、照合対象画像６６Ｇ、照合対象画像６６Ｈ、及び照合対象画像６６Ｉを総称して、「照合対象画像」と記載する場合がある。
【００６３】
［照合基準情報取得部］
照合基準情報取得部４８は、照合基準画像読み出し部４６によって読み出された照合基準画像Ｘから、第１雑音画素列の位置（Ｘ座標値）に応じた位置の画素列である第１−１画素列（後述）と、第２雑音画素列の位置（Ｘ座標値）に応じた位置の画素列である第２−１画素列（後述）と、を除外した第１マスク画像、に基づく照合基準情報を生成する。
【００６４】
本実施形態の場合、照合基準情報取得部４８は、照合対象画像が取得されるごとに、上記第１マスク画像を、上記照合基準情報として生成する。
【００６５】
［照合対象情報取得部］
また、照合対象情報取得部５０は、照合対象画像取得部４４によって取得された照合対象画像Ｘから、第１雑音画素列の位置に応じた位置の画素列である第１−２画素列（後述）と、第２雑音画素列の位置に応じた位置の画素列である第２−２画素列（後述）とを除外した第２マスク画像、に基づく照合対象情報を生成する。
【００６６】
本実施形態の場合、照合対象情報取得部５０は、照合対象画像が取得されるごとに、取得された照合対象画像Ｘから上記第１−２画素列と上記第２−２画素列とを除外した上記第２マスク画像を、上記照合対象情報として生成する。
【００６７】
ここで、第１−１画素列とは、照合基準画像Ｘに関連づけられた第１雑音画素列のＸ座標値「Ｘα」に応じた位置の画素列である。すなわち、第１−１画素列とは、照合基準画像Ｘの左端から右に「Ｘα−Ｘβ」離れた位置の画素列である。なお、「Ｘβ」は照合基準画像Ｘの左端のＸ座標値である。
【００６８】
例えば、照合基準画像Ｘが照合基準画像Ａである場合、照合基準画像Ａに関連づけられたＸ座標値「ＸＡ」が第１雑音画素列のＸ座標値「Ｘα」に相当し（図８参照）、かつ、照合基準画像Ａの左端のＸ座標値「Ｘ１」（図５参照）が「Ｘβ」に相当するので、照合基準画像Ａの左端から右に「ＸＡ−Ｘ１」離れた位置の画素列が、第１−１画素列となる。
【００６９】
また、第１−２画素列とは、上記第１雑音画素列のＸ座標値「Ｘα」に応じた位置の画素列であり、照合基準画像Ｘに含まれる上記第１−１画素列に対応する画素列である。
【００７０】
すなわち、照合基準画像Ｘではなく照合対象画像Ｘの左端から右に「Ｘα−Ｘβ」離れた位置の画素列が第１−２画素列となる。例えば、照合基準画像Ｘが照合基準画像Ａであり、且つ照合対象画像Ｘが照合対象画像６６Ａである場合、照合対象画像６６Ａの左端から右に「ＸＡ−Ｘ１」離れた位置の画素列が、第１−２画素列となる。このように、第１−１画素列の照合基準画像Ｘにおける位置と、第１−２画素列の照合対象画像Ｘにおける位置と、は同じになる。
【００７１】
また、第２−２画素列とは、雑音画素列特定部２６Ｂによって特定された第２雑音画素列のＸ座標値「Ｘγ」に応じた位置の画素列である。すなわち、第２−２画素列とは、照合対象画像Ｘの左端から右に「Ｘγ−Ｘδ」離れた位置の画素列である。なお、「Ｘδ」は照合対象画像Ｘの左端のＸ座標値である。
【００７２】
例えば、照合基準画像Ｘが照合基準画像Ａであり、且つ照合対象画像Ｘが照合対象画像６６Ａである場合（図１２の（Ａ）参照）、雑音画素列特定部２６Ｂによって特定された第２雑音画素列のＸ座標値「ＸＣ」がＸγに相当し、照合対象画像６６Ａの左端のＸ座標値「Ｘ５」（図１０及び図１２の（Ａ）参照）が「Ｘδ」に相当するので、照合対象画像Ａの左端から右に「ＸＣ−Ｘ５」離れた位置の画素列が、第２−２画素列となる。
【００７３】
また、第２−１画素列とは、上記第２雑音画素列のＸ座標値「Ｘγ」に応じた位置の画素列であり、照合対象画像Ｘに含まれる上記第２−２画素列に対応する画素列である。
【００７４】
すなわち、第２−１画素列とは、照合基準画像Ｘの左端から右に「Ｘγ−Ｘδ」離れた位置の画素列である。例えば、照合基準画像Ｘが照合基準画像Ａであり、且つ照合対象画像Ｘが照合対象画像６６Ａである場合（図１２の（Ａ）参照）、照合基準画像６６Ａの左端から右に「ＸＣ−Ｘ５」離れた位置の画素列が、第２−１画素列となる。このように、第２−１画素列の照合基準画像Ｘにおける位置と、第２−２画素列の照合対象画像Ｘにおける位置と、は同じになる。
【００７５】
図１３Ａは、第１マスク画像の生成方法を示す図であり、図１３Ｂは、第２マスク画像の生成方法を示す図である。ここで、符号７０で指し示される画像は、照合基準画像Ｘを示し、符号７２で指し示される画像は、照合対象画像Ｘを示している。ここでは、符号７０で指し示される照合基準画像Ｘが照合基準画像Ａ（図５参照）であり、符号７２で指し示される照合対象画像Ｘが照合対象画像６６Ａ（図１２の（Ａ）参照）である場合を例に取り上げる。
【００７６】
この場合、図１３Ａに示すように、符号７０で指し示される照合基準画像Ａから、左端から右に「ＸＡ−Ｘ１」離れた位置の画素列８４と、左端から右に「ＸＣ−Ｘ５」離れた位置の画素列８６と、が除外されて第１マスク画像８０が照合基準情報として生成される。この場合、画素列８４が第１−１画素列に相当し、画素列８６が第２−１画素列に相当することとなる。
【００７７】
同様に、図１３Ｂに示すように、照合対象画像６６Ａから、左端から右に「ＸＡ−Ｘ１」離れた位置の上記画素列８４と、左端から右に「ＸＣ−Ｘ５」離れた位置の上記画素列８６と、が除外されて、第２マスク画像８２が照合対象情報として生成される。この場合、画素列８４が第１−２画素列に相当し、画素列８６が第２−２画素列に相当することとなる。
【００７８】
なお、照合基準情報取得部４８は、こうして生成した第１マスク画像８０に基づいて、照合基準情報を生成してもよい。例えば、照合基準情報取得部４８は、第１マスク画像８０の特徴ベクトルを、照合基準情報として生成してよい。また、照合対象情報取得部５０は、こうして生成した第２マスク画像８２に基づいて、照合対象情報を生成してもよい。例えば、照合対象情報取得部５０は、第２マスク画像８２の特徴ベクトルを、照合対象情報として生成してよい。
【００７９】
［比較部］
比較部５２は、照合基準情報取得部４８によって取得された照合基準情報と、照合対象情報取得部５０によって取得された照合基準情報と、を比較する。本実施形態の場合、第１マスク画像８０と、第２マスク画像８２と、を比較する。
【００８０】
具体的には、比較部５２は、下記の数式に従って、第１マスク画像８０と第２マスク画像８２との類似度を示す相関値を算出する。
【数１】
0005594012.tif 000002
【数２】
0005594012.tif 000003
【００８１】
ここで、Ｆは第１マスク画像８０であり、Ｇは第２マスク画像８２であり、ｆｉは第１マスク画像８０の個々の画素の画素値であり、Ｎは第１マスク画像８０（第２マスク画像８２）の総画素数であり、ｇｉは第２マスク画像８２の個々の画素の画素値であり、ｆａｖｅは第１マスク画像８０の個々の画素値の平均値であり、ｇａｖｅは第２マスク画像８２の個々の画素値の平均値である。
【００８２】
なお、本実施形態の場合、比較部５２は、相関値を算出するごとに、次の照合対象画像の取得を照合対象画像取得部４４に指示する。
【００８３】
［判定部］
判定部５４は、比較部５２の比較結果に基づいて、照合対象の原稿と照合基準の原稿とが同一であるか否か、を判定する。また、判定部５４は、判定結果を出力する。
【００８４】
すなわち、判定部５４は、比較部５２が相関値をＮ（「Ｎ」は、照合対象画像の数）回算出するごとに、これらＮ個の相関値の最大値が基準値以上であるか否か、及び、「相関値の最大値から相関値の平均値を減じた値を相関値の標準偏差で除した値」（以下、ノーマライズドスコアと呼ぶ）が基準値以上であるか否か、を判定する。
【００８５】
そして、判定部５４は、相関値の最大値が基準値以上であり、かつ、ノーマライズドスコアが基準値以上である場合、照合対象の原稿と照合基準の原稿とが同一であると判定する。
【００８６】
一方、判定部５４は、相関値の最大値が基準値より小さい場合、又は、ノーマイライズドスコアが基準値より小さい場合、次の対応画像の取得を対応画像取得部４２に指示する。なお、全ての対応画像が取得済みである場合、判定部５４は、照合対象の原稿と照合基準の原稿とが同一でないと判定する。
【００８７】
［まとめ］
以上のように、この画像処理システム１では、照合基準の原稿画像中の黒スジに係る第１雑音画素列が特定され、照合対象の原稿画像中の黒スジに係る第２雑音画素列が特定される。そして、第１雑音画素列に応じた位置の第１−１画素列と、第２雑音画素列に応じた位置の第２−１画素列と、を照合基準画像から除外し、且つ、第１雑音画素列に応じた位置の第１−２画素列と、第２雑音画素列に応じた位置の第２−２画素列と、を照合対象画像から除外して、照合基準画像と照合対象画像と、が比較される。そのため、この画像処理システム１では、照合基準の原稿画像や照合対象の原稿画像に黒スジが含まれていても、照合基準の原稿と照合対象の原稿との同一性が判別されるようになる。
【００８８】
なお、本発明の実施形態は上記実施形態だけに限らない。
【００８９】
例えば、原稿は、紙媒体以外の媒体であってもよい。例えば、原稿は、ＯＨＰ（Overhead Projector）シートであってもよい。
【００９０】
また、例えば、雑音画素列特定部２６Ａ（図４参照）及び雑音画素列特定部２６Ｂ（図９参照）のうちの一方が省略されてよい。例えば、雑音画素列特定部２６Ａが省略される場合、照合基準画像から第２−１画素列だけが除外された画像が第１マスク画像に相当し、照合対象画像から第２−２画素列だけが除外された画像が第２マスク画像に相当することになる。また、例えば、雑音画素列特定部２６Ｂが省略される場合、照合基準画像から第１−１画素列だけが除外された画像が第１マスク画像に相当し、照合対象画像から第１−２画素列だけが除外された画像が第２マスク画像に相当することになる。
【００９１】
また、例えば、雑音画素列特定部２６Ａ及び雑音画素列特定部２６Ｂの両方が省略されてもよい。以下、雑音画素列特定部２６Ａ及び雑音画素列特定部２６Ｂの両方が省略される場合の実施態様（以下、変形例）について説明する。なお、説明の簡単のため、照合基準領域は照合基準領域Ａのみであり、対応領域は対応領域Ａのみであるものとする。
【００９２】
変形例では、図４に示す機能ブロック図において、雑音画素列特定部２６Ａが省略される。この場合、登録部２８は、原稿ＩＤ取得部２２によって取得された原稿ＩＤと、照合基準画像取得部２４によって取得された照合基準画像と、を関連付けてデータベース４に記憶させることになる。
【００９３】
また、変形例では、図９に示す機能ブロック図において、雑音画素列特定部２６Ｂが省略される。但し、変形例では、雑音画素列特定部２６Ｂが省略される代わりに、設定部４３が新たに実現される。図１４に、変形例において、画像処理システム１にて実現される機能群を示した。
【００９４】
照合対象原稿画像取得部４０は、上述のようにして、照合対象の原稿画像を取得する。
【００９５】
また、原稿ＩＤ取得部２２は、上述のようにして、照合対象の原稿の原稿ＩＤを取得する。
【００９６】
また、対応画像取得部４２は、上述のようにして、対応画像Ａを生成する。
【００９７】
また、照合基準画像読み出し部４６は、原稿ＩＤ取得部２２によって取得された原稿ＩＤに関連付けられた照合基準画像Ａを読み出す。
【００９８】
また、照合対象画像取得部４４は、上述のようにして、対応画像Ａから、照合対象画像６６Ａ、照合対象画像６６Ｂ、照合対象画像６６Ｃ、照合対象画像６６Ｄ、照合対象画像６６Ｅ、照合対象画像６６Ｆ、照合対象画像６６Ｇ、照合対象画像６６Ｈ及び照合対象領域６４Ｉの画像である照合対象画像６６Ｉ、の各々を生成する。
【００９９】
より詳しくは、照合対象画像取得部４４は、上述のように、最初に照合対象画像６６Ａを取得した後、比較部５２からの指示に応じて、照合対象画像６６Ｂ以降を生成する。
【０１００】
変形例では、第１−１画素列、第１−２画素列、第２−１画素列、及び第２−２画素列とが第１雑音画素列のＸ座標値や第２雑音画素列のＸ座標値から特定されるのではなく、予め設定されている。具体的には、第１−１画素列と第２−２画素列との組み合わせをＭ（Ｍは２以上の整数）通り保持するデータがハードディスク１０に記憶されている。
【０１０１】
設定部４３は、照合対象画像が取得されるごとに、上記データを参照して、最初の組み合わせから順番に、第１−１画素列と、第２−２画素列とを設定する。また、設定部４３は、第１−１画素列及び第２−２画素列のそれぞれから第１−２画素列及び第２−１画素列も設定する。
【０１０２】
また、変形例では、照合基準情報取得部４８が、第１−１画素列と第２−１画素列とが設定されるごとに、照合基準画像読み出し部４６によって読み出された照合基準画像Ａから、第１−１画素列と、第２−１画素列と、を除外した第１マスク画像を、照合基準情報として生成する。
【０１０３】
また、照合対象情報取得部５０が、第１−２画素列と第２−２画素列とが設定されるごとに、照合対象画像取得部４４によって取得された照合対象画像Ｘから上記第１−２画素列と上記第２−２画素列とを除外した第２マスク画像を、照合基準情報として生成する。
【０１０４】
そして、比較部５２が、照合基準情報及び照合対象情報が生成されるごとに、当該照合基準情報と当該照合対象情報と、を比較する。すなわち、比較部５２は、第１マスク画像と第２マスク画像との類似度を示す相関値を算出する。
【０１０５】
但し、変形例では、比較部５２は、相関値を算出するごとに次の照合対象画像の取得を照合対象画像取得部４４に指示するのではなく、相関値をＭ回算出するごとに、次の照合対象画像の取得を照合対象画像取得部４４に指示する。
【０１０６】
変形例では、判定部５４は、比較部５２が算出した「Ｎ×Ｍ」個（「Ｎ」は、照合対象画像の数）の相関値の最大値が基準値以上であるか否か、及び、上記ノーマライズドスコアが基準値以上であるか否か、を判定することになる。そして、判定部５４は、相関値の最大値が基準値以上であり、かつ、ノーマライズドスコアが基準値以上である場合、照合対象の原稿と照合基準の原稿とが同一であると判定する。
【符号の説明】
【０１０７】
１  画像処理システム、２  画像処理装置、４  データベース、６  制御部、８  主記憶、１０  ハードディスク、１２  表示部、１４  操作入力部、１６  ネットワークインタフェース、１８  スキャナ、２０  照合基準原稿画像取得部、２２  原稿ＩＤ取得部、２４  照合基準画像取得部、２６Ａ，２６Ｂ  雑音画素列特定部、２８  登録部、３０  記載領域、３２  コード画像、３４  余白領域、３６Ａ，３６Ｂ  照合基準領域、３８Ａ，３８Ｂ，３８Ｃ，３８Ｄ  黒スジ、４０  照合対象原稿画像取得部、４２  対応画像取得部、４３  設定部、４４  照合対象画像取得部、４６  照合基準画像読み出し部、４８  照合基準情報取得部４８  照合基準情報取得部、５０  照合対象情報取得部、５２  比較部、５４  判定部、６０Ａ，６０Ｂ  対応領域、６２Ａ，６２Ｂ  対応画像、６４Ａ，６４Ｂ，６４Ｃ，６４Ｄ，６４Ｅ，６４Ｆ，６４Ｇ，６４Ｈ，６４Ｉ  照合対象領域、６６Ａ，６６Ｂ，６６Ｃ，６６Ｄ，６６Ｅ，６６Ｆ，６６Ｇ，６６Ｈ，６６Ｉ，７２  照合対象画像、７０  照合基準画像、８０  第１マスク画像、８２  第２マスク画像、８４，８６  画素列。
【図１】
0005594012.tif 000004
【図２】
0005594012.tif 000005
【図３】
0005594012.tif 000006
【図４】
0005594012.tif 000007
【図５】
0005594012.tif 000008
【図６】
0005594012.tif 000009
【図７】
0005594012.tif 000010
【図８】
0005594012.tif 000011
【図９】
0005594012.tif 000012
【図１０】
0005594012.tif 000013
【図１１】
0005594012.tif 000014
【図１２】
0005594012.tif 000015
【図１３Ａ】
0005594012.tif 000016
【図１３Ｂ】
0005594012.tif 000017
【図１４】
0005594012.tif 000018